(57)【要約】【課題】筋肉トレーニングモードとリンパドレナージュモードとの間での出力調整を兼用して行いつつ、モード変更時の出力再調整の手間を低減する。【解決手段】波形生成回路７１において筋肉トレーニングモード用の波形が形成され、波形生成回路７２においてリンパドレナージュモード用の波形が生成される。モード選択用の操作部３７のマニュアル操作に応じて切換作動されるスイッチ３７ａによって一方の波形生成回路が選択されて、選択された波形生成回路からの波形が、Ｄ／Ａ変換回路７３、増幅器７７を経て、複数の出力部１〜１０から出力される。出力調整用の操作部２１〜３０をマニュアル操作することによって、出力部１〜１０からの出力の大きさが変更される。操作部２１〜３０で選択された出力の大きさの変換係数が、操作部３７の操作に応じて切換作動される切換スイッチ３７ｂによって、筋肉トレーニングモードのときは１．０と大きく設定され、リンパドレナージュモードのときは０．６と小さく設定される。【選択図】  図５
2005058270.tif 000002
【特許請求の範囲】
【請求項１】
それぞれ刺激用の電気信号を出力する複数の出力部を有する多チャンネル式電気刺激装置において、
筋肉のトレーニングに適した第１電気信号を生成する第１信号生成手段と、
リンパの排出に適した第２電気信号を生成する第２信号生成手段と、
前記各出力部から出力させる電気信号として、前記第１電気信号と第２電気信号とのうちいずれか一方をマニュアル選択するためのモード選択手段と、
前記モード選択手段によって前記第１電気信号と第２電気信号との間で選択される電気信号が変更されたとき、前記出力部からの出力の大きさを自動変更する出力変更手段と、を備え、
前記出力変更手段は、前記第２電気信号が選択されたときは前記第１電気信号が選択された場合に比して、出力が小さくなるように出力の大きさを変更するように設定されている、ことを特徴とする多チャンネル式電気刺激装置。
【請求項２】
請求項１において、
第１信号生成手段で生成される前記第１電気信号と前記第２信号生成手段で生成される第２電気信号とは、それぞれ、サイン波形とされた高周波の搬送波を低周波の周期で出力するバースト波形とされ、
前記第１電気信号における搬送波の周波数が、前記第２電気信号における搬送波の周波数よりも小さく設定されている、ことを特徴とする多チャンネル式電気刺激装置。
【請求項３】
請求項２において、
前記各出力部からの出力の大きさをマニュアル操作によって個々独立して調整するための独立出力調整手段を備え、
前記出力変更手段は、前記出力調整手段で調整された後の出力の大きさを自動変更するように設定されている、ことる多チャンネル式電気刺激装置。
【請求項４】
請求項３において、
マニュアル操作され、前記独立出力調整手段によって調整された後の前記複数の出力部からの各出力の大きさの割合を維持しつつ、該複数の出力部からの出力の大きさを同時に調整するための共通出力調整手段をさらに備えている、ことを特徴とする多チャンネル式電気刺激装置。
【請求項５】
請求項１ないし請求項４のいずれか１項において、
前記複数の出力部からの出力を互いに時間をずらして順次行わせる特定モードを有しており、
前記複数の出力部からの出力のうち、今回出力されている今回出力部からの出力が終了する前に、次に出力される次回出力部からの出力が開始されるように設定されている、ことを特徴とする多チャンネル式電気刺激装置。
【発明の詳細な説明】
【０００１】
【発明の属する技術分野】
本発明は多チャンネル式電気刺激装置に関するものである。
【０００２】
【従来の技術】
電気信号を利用した治療装置として、従来から低周波治療器が知られている。
この低周波治療器では、患者の体表面に装着された一対の導子間に低周波電気信号（低周波治療用信号）を付与することにより行われる。そして、特許文献１に示すように、一対の導子を複数組設けた多チャンネル式の低周波治療器も実用化されている。
【０００３】
また、エステ（エステティック）業界においては、低周波治療器を利用して痩身を図ることも行われている。すなわち、低周波治療器による電気信号によって筋肉に刺激を与えることによって、筋肉が運動したのと同様の効果を与えて、痩身を図ることが行われている（筋肉トレーニング）。さらに、エステ業界では、低周波治療器を利用して、リンパの排出効果を高めることも行われている（リンパドレナージュ）。
【０００４】
【特許文献】
特開２０００−１４８００号公報
【０００５】
【発明が解決しようとする課題】
ところで、１つの多チャンネル式電気刺激装置によって、筋肉トレーニングとリンパドレナージュとを選択的に行えることができれば便利である。この場合、
筋肉のトレーニングに適した第１電気信号を生成する第１信号生成手段と、リンパの排出に適した第２電気信号を生成する第２信号生成手段とを設けて、複数の出力部から出力させる電気信号として、第１電気信号と第２電気信号とのうちいずれか一方をマニュアル選択するためのモード選択手段を設ければよいことになる。
【０００６】
上述のように、１つの多チャンネル式電気刺激装置が筋肉トレーニング用とリンパドレナージュ用とを兼用した場合に、各出力部からの出力の大きさの調整の点について何らかの工夫が必要となる。この点を詳述すると、通常、各チャンネル毎に個々独立して、出力の大きさをマニュアル調整する出力調整手段が設けられるが、筋肉トレーニング用に要求される出力の大きさと、リンパドレナージュ用に要求される出力の大きさとは、大きく相違するものである。すなわち、筋肉トレーニング用の電気信号波形は、筋肉の深部にまで刺激を与えるために出力がかなり大きいものとされる一方、リンパドレナージュは比較的皮膚表面に近い部分のみに刺激を与えるために、出力が小さいものとなる。
【０００７】
この一方、出力調整手段は、各チャンネル毎に個々独立して設けられる関係上相当に多い数となるが（１０チャンネルならば１０個の出力調整手段が設けられる）、この出力調整手段を、各チャンネル毎に筋肉トレーニング用とリンパドレナージュ用とで別個に設けたのでは、出力調整手段の数が２倍となって、あまりにも多くなりすぎてしまうことになる。
【０００８】
出力調整手段の数を増加させないために、各チャンネルの出力調整手段を、筋肉トレーニング用とリンパドレナージュ用とで兼用させることが考えられる。しかしながら、この場合は、モード選択手段によってモードが変更された時に、出力の大きさが、変更後のモード適した大きさから大きくずれたものとなり、変更後のモードに対応した出力の大きさに再調整することに多大な手間を要してしまうことになる。
【０００９】
これに加えて、筋肉トレーニングのモードからリンパドレナージュのモードへと変更したときに、筋肉トレーニング用に適した大きな出力のままとされて、使用者（患者）対して不必要に大きな刺激を与えてしまうおそれもある。
【００１０】
本発明は以上のような事情を勘案してなされたもので、その目的は、出力調整手段を筋肉トレーニング用とリンパドレナージュ用の各モードの間でもって兼用しつつ、モード変更時における出力の再調整の手間を極力低減できるようにした多チャンネル式電気刺激装置を提供することにある。
【００１１】
【課題を解決するための手段】
前記目的を達成するため、本発明はその解決手法として次のようにしてある。すなわち、特許請求の範囲における請求項１に記載のように、
それぞれ刺激用の電気信号を出力する複数の出力部を有する多チャンネル式電気刺激装置において、
筋肉のトレーニングに適した第１電気信号を生成する第１信号生成手段と、
リンパの排出に適した第２電気信号を生成する第２信号生成手段と、
前記各出力部から出力させる電気信号として、前記第１電気信号と第２電気信号とのうちいずれか一方をマニュアル選択するためのモード選択手段と、
前記モード選択手段によって前記第１電気信号と第２電気信号との間で選択される電気信号が変更されたとき、前記出力部からの出力の大きさを自動変更する出力変更手段と、を備え、
前記出力変更手段は、前記第２電気信号が選択されたときは前記第１電気信号が選択された場合に比して、出力が小さくなるように出力の大きさを変更するように設定されている、ようにしてある。
【００１２】
上記解決手法によれば、モード変更手段によってモードが変更されたとき、各出力部からの出力が、変更後のモードに適した大きさに自動設定されることになる。これにより、モード変更後での出力の大きさを調整する手間が省けるか、あるいは再調整するにしても調整量が少なくてすむことになる。また、筋肉トレーニングのモードからリンパドレナージュのモードへと変更されたときに、出力の大きさがリンパドレナージュ用に適した大きさとなるように自動的に低下されるので、筋肉トレーニングのモードに適した大きな出力でもって使用者に対して不必要に大きな刺激を与えてしまうような事態も確実に防止されることになる。
【００１３】
上記解決手法を前提とした好ましい態様は、特許請求の範囲における請求項２以下に記載のとおりである。すなわち、
第１信号生成手段で生成される前記第１電気信号と前記第２信号生成手段で生成される第２電気信号とは、それぞれ、サイン波形とされた高周波の搬送波を低周波の周期で出力するバースト波形とされ、
前記第１電気信号における搬送波の周波数が、前記第２電気信号における搬送波の周波数よりも小さく設定されている、
ようにすることができる（請求項２対応）。この場合、筋肉トレーニングのモードにおいては、搬送波の周波数が小さいものとされて筋肉の深部にまで比較的強い刺激を与える上で好ましいものとなる一方、リンパドレナージュのモードでは搬送波の周波数が大きいものとされて、身体の表面近くを比較的弱く刺激する上で好ましいものとなる。また、搬送波として高周波のサイン（ｓｉｎ）波形を用いつつ、この搬送波を刺激用の低周波の周期で出力するようにしたバースト波を用いることにより、このバースト波を用いることが一般的な低周波治療器を有効に利用して、本発明による多チャンネル式電気刺激装置を構成することができる。
【００１４】
前記各出力部からの出力の大きさをマニュアル操作によって個々独立して調整するための独立出力調整手段を備え、
前記出力変更手段は、前記出力調整手段で調整された後の出力の大きさを自動変更するように設定されている、
ようにすることができる（請求項３対応）。この場合、独立出力調整手段での出力調整状態を活かしつつ、変更後のモードに適した出力の大きさに自動変更することが可能となる。また、リンパドレナージュモードのときに、独立出力調整手段を単位量だけ操作したときの出力変化量が筋肉トレーニングモードのときよりも小さいものとなり、出力を微妙に調整する上で好ましいものとなる。
【００１５】
マニュアル操作され、前記独立出力調整手段によって調整された後の前記複数の出力部からの各出力の大きさの割合を維持しつつ、該複数の出力部からの出力の大きさを同時に調整するための共通出力調整手段をさらに備えている、ようにすることができる（請求項４対応）。この場合、あらかじめ設定された各出力部からの出力の大きさの割合を維持しつつ、各出力部からの出力の大きさを調整することができる。
【００１６】
前記複数の出力部からの出力を互いに時間をずらして順次行わせる特定モードを有しており、
前記複数の出力部からの出力のうち、今回出力されている今回出力部からの出力が終了する前に、次に出力される次回出力部からの出力が開始されるように設定されている、
ようにすることができる（請求項５対応）。この場合、刺激が連続的に移動する感覚を与えることができると共に、同じ箇所に連続して刺激を与え続ける場合に比して刺激付与効果の高いものとすることができる。
【００１７】
【発明の効果】
本発明によれば、出力調整手段の数の増加を抑えつつ、モード変更後の出力再調整の手間を大幅に低減することができる。また、リンパドレナージュのモードへ変更されたときに、不用意に大きな刺激を使用者に対して与えてしまう事態を確実に防止することができる。
【００１８】
【発明の実施の形態】
図１において、Ｈは多チャンネル式電気刺激装置の本体である。この本体Ｈは、実施形態では１０チャンネル式とされて、合計１０個の出力部１〜１０を有する。各出力部１〜１０には、それぞれ一対の導子１０Ａ、１０Ｂが個々独立して接続可能とされている。
【００１９】
本体Ｈには、各出力部１〜１０からの出力の大きさを個々独立して調整するための独立出力調整手段としての操作部２１〜３０が設けられている。操作部２１〜３０は、それぞれマニュアル操作されるもので、操作部２１は出力部１用であり、操作部２２は出力部２用であり、操作部２３は出力部３用であり、操作部２４は出力部４用であり、操作部２５は出力部５用であり、操作部２６は出力部６用であり、操作部２７は出力部７用であり、操作部２８は出力部８用であり、操作部２９は出力部９用であり、操作部３０は出力部１０用である。
【００２０】
本体Ｈには、さらに、共通出力調整手段として、１つの操作部３５が設けられている。この操作部３５は、マニュアル操作されるもので、各操作部２１〜３０で調整された後の各出力部１０〜２０からの出力の大きさの割合を維持しつつ、各出力部１〜１０からの出力の大きさをまとめて調整するものである。操作部３５のよって調整される出力のレベルが表示部３６に表示される。操作部３５による調整レベルは、例えば出力レベルのもっとも小さいレベル１からもっとも大きいレベル１０までの間で、段階的あるいは無段階に調整することができる。
【００２１】
各出力部１〜１０からの出力の大きさは、表示部４１〜５０に個々独立して表示されるようになっている。なお、図１中、６０はマニュアル操作されるタイマの操作部であり、出力部１〜１０から電気信号を出力する時間を設定するものであり、設定時間の表示が表示部６１に行われる。このタイマ設定後に出力が開始されると、表示部６１は、設定された時間から出力開始後の経過時間を差し引いた残りの時間を表示するようになっている。
【００２２】
本体Ｈには、さらに、モード選択（切換）用のマニュアル操作される操作部３７と、操作部３７で選択されている現在のモードを表示する表示部３８とが設けられる。操作部３７は、筋肉トレーニング用のモードか、リンパドレナージュ用のモードかのいずれか一方のモードを選択するものである。表示部３８には、選択されているモードが筋肉トレーニングのときは、例えば「筋肉モード」と表示され、選択されているモードがリンパドレナージュのときは、例えば「リンパモード」と表示される。
【００２３】
図２は、筋肉トレーニングを行う場合に、各出力部１〜１０に連なる導子（１０Ａ、１０Ｂ）の使用者に対する位置設定の一例を示す。各チャンネルとしての複数の出力部が１０個全てを利用することから、導子は合計１０組設けられることになる。同様に、図３、図４は、リンパドレナージュを行う場合に、使用者に対する導子（１０Ａ、１０Ｂ）の位置設定の一例を示すものであり、合計１０組の導子が用いられる場合が示される。
【００２４】
図５は、出力部１〜１０から出力される電気信号を、筋肉トレーニング用とリンパドレナージュ用とで選択するための回路と、その出力の大きさを調整、変更する回路とを示すものである。まず、筋肉トレーニング用の電気信号の波形を生成するための第１波形生成回路７１と、リンパドレナージュ用の電気信号の波形を生成するための第２波形生成回路７２とを有する。
【００２５】
モード選択（切換）用の操作部３７によって筋肉トレーニングモードが選択されたときは、切換スイッチ接点３７ａが第１波形生成回路７１に接続されて、この第１波形生成回路７１で生成された波形がＤ／Ａ変換回路７３に入力される。また、操作部３７によってリンパドレナージュモードが選択されたときは、上記切換スイッチ接点３７ａが第２波形生成回路７２に接続されて、この第２波形生成回路７２で生成された波形がＤ／Ａ変換回路７３に入力される。なお、各波形生成回路７１、７２は、各出力部１〜１０共通用とされている。ただし、切換スイッチ接点３７ａおよびＤ／Ａ変換回路７３は、各出力部１〜１０毎に個々独立して設けられている。
【００２６】
各出力部１〜１０毎に個々独立して設けられた独立出力調整手段としての操作部２１〜３０からの信号は、Ａ／Ｄ変換回路７４を経た後、第１係数設定回路（出力変換回路）７５および第２係数設定回路７６に入力される。第１係数設定回路７５は、筋肉トレーニングモード用で、ここで設定される係数は「１」とされる。つまり、操作部２１（２２〜３０）で選択された出力の大きさがそのまま出力されるようになっている。一方、第２係数設定回路７６は、リンパドレナージュモード用で、ここで設定される係数は「０．６」とされる。つまり、操作部２１（２２＾３０）で選択された出力の大きさが０．６倍というように小さい値に変更するものとなっている。Ａ／Ｄ変換回路７４、および各係数設定回路７５、７６は、各出力部１〜１０毎に個々独立して設けられている。
【００２７】
モード選択用の操作部３７が筋肉トレーニングモードを選択したときは、これに連動した切換スイッチ接点３７ｂが、第１係数設定回路７５に接続されて、この第１係数回路７６の出力がＤ／Ａ変換回路７３に入力される。一方、モード選択用の操作部３７がリンパドレナージュモードを選択したときは、これに連動した切換スイッチ接点３７ｂが、第２係数設定回路７６に接続されて、この第２係数回路７６の出力がＤ／Ａ変換回路７３に入力される。切換スイッチ接点３７ｂも、各出力部１〜１０毎に個々独立して設けられている。
【００２８】
前述のように、筋肉トレーニングモードが選択されたときは、第１波形生成回路７１からの波形と第１係数設定回路７５からの出力とが、Ｄ／Ａ変換回路７３に入力されることになる。これにより、Ｄ／Ａ変換回路７３からは、第１波形生成回路７１で生成された波形が、第１係数設定回路７５で設定された出力に対応したレベルでもって出力され、このＤ／Ａ変換回路７３からの出力が、増幅器７７で増幅された後、出力部１（２〜１０）に出力される。増幅器７７も、各出力部１〜１０毎に個々独立して設けられている。
【００２９】
同様に、リンパドレナージュモードが選択されたときは、第２波形生成回路７２からの波形と第２係数設定回路７６からの出力とが、Ｄ／Ａ変換回路７３に入力されることになる。これにより、Ｄ／Ａ変換回路７３からは、第２波形生成回路７２で生成された波形が、第２係数設定回路７６で設定された出力に対応したレベルでもって出力され、このＤ／Ａ変換回路７３からの出力が、増幅器７７で増幅された後、出力部１（２〜１０）に出力される。
【００３０】
上述の説明から明らかなように、操作部２１（２２〜３０）での操作量が同じであっても、リンパドレナージュモードのときは、筋肉トレーニングモードに比して、出力部１（２〜１０）からの出力の大きさが０．６倍というように小さいものに自動設定されることになる。つまり、筋肉トレーニングモードからリンパドレナージュモードに切換えられたときは、切換前に比して、出力部１（２〜１０）からの出力の大きさが自動的に０．６倍というように小さくされる。逆に、リンパドレナージュモードから筋肉トレーニングモードに切換えられたときは、各出力部１（２〜１０）からの出力の大きさが、切換前に比して約１．７倍程度（１／０．６倍）に自動的に大きく設定されることになる。
【００３１】
ここで、筋肉トレーニング用となる第１波形生成回路７１で生成される波形の一例、つまり各出力部１〜１０からの出力波形について、図６、図７を参照しつつ説明する。なお、波形（の大きさ）は、実施形態では電圧値としてあるが、電流値することも可能である。まず、波形は、基本的に、所定幅（時間幅）のパルスが低周波でもって出力される低周波電気信号とされる（図６のパルス間隔となる周期が低周波対応となっており、例えば周波数で１ＨＺ〜９９９ＨＺ）。実施形態では、この低周波電気信号に、サイン（ＳＩＮ）搬送波としての高周波（刺激用の低周波に比して高周波ということ）が重合される（例えば周波数で２ＫＨＺ〜５ＫＨＺの範囲で、実施形態では３ＫＨＺに設定）。すなわち、低周波信号となるパルス幅内において、高周波の電気信号が重合され、重合割合となるバーストデューティ比は実施形態では常時一定値（例えば３０％）とされている。これにより、低周波成分を持ちつつ、使用者（患者）の体表面から奥深く入った部分への刺激付与に効果的となる。
【００３２】
図６では、刺激用の電気信号が基本的に低周波信号であることの理解のために方形（矩形）波として示してあるが、実際は、高周波のサイン波が低周波の周期で出力されるものである（図６でサイン波とされた高周波の上端同士をつなぐ出力一定値の信号は実際には現れない）。なお、図６では、バーストデューティ比が３０％の場合を示してあるが、パルス幅が一定の固定値とすることもできる（例えば、低周波の周期毎に、例えば２ｍｓｅｃの一定時間だけ高周波の搬送波を出力する）。
【００３３】
１つの波形は、図７に示すように、所定時間一定値が持続される持続出力状態とされるが、持続出力状態とするまでは出力が徐々に大きくなる漸増出力状態とされ、また持続出力状態から徐々に出力が低下される漸減出力状態とされる。この場合、漸増出力状態における出力増大割合（単位時間あたりの出力の増加割合）は、漸減出力状態における出力減少割合（単位時間あたりの出力の減少割合）よりも小さくされている。換言すれば、出力の増加はゆっくりで、出力の低下は急速に行われるようになっている。なお、各出力部１〜１０の間での漸増出力状態における出力増大割合は互いにほぼ等しくなるように設定され、同様に漸減出力状態における出力低下割合も互いにほぼ等しくなるように設定されている。なお、図７では波形がパルス状に示されているが、実際には、このパルス幅の範囲において搬送波としての高周波が出力されるものである。
【００３４】
各出力部１〜１０からの出力は、互いに時間をずらして順次行われる。例えば、
第１出力部１、第２出力部２、第３出力部３、第４出力部４・・・・・という順に出力される。図２では、この出力の順序をも示しており、数値の小さい順から大きい順に順次出力され、もっとも大きい数値の出力部から出力された後は、もっとも小さい数値の出力部へ戻ることになる。なお、このようなサイクルを繰り返し行っている途中において、全ての出力部１〜１０から同時に出力させたり、あるいは全ての出力部１〜１０からの出力を一時的に停止することもでき、これにより、刺激に対する麻痺をなくすあるいは低減して、刺激付与の効果を高めることができる。
【００３５】
リンパドレナージュ用の第２波形生成回路７２で生成される波形は、基本的には、筋肉トレーニング用の波形と同じである。ただし、高周波の搬送波が、筋肉トレーニングモードのときよりもより高い周波数帯域のものが用いられる（例えば５ＫＨＺ〜１０ＫＨＺで、実施形態では８ＫＨＺ）。また、出力の大きさは筋肉トレーニングモードのときよりも小さくされる（例えば図６に示す波形の振幅が、筋肉トレーニングモードの場合よりも小さいものとなる）。なお、筋肉トレーニングモードもリンパドレナージュモードも、低周波の周波数はほぼ同じに設定することができ、低周波の周波数は、例えば５〜８０ＨＺの範囲で、例えばマニュアル操作によって段階式あるいは無段階式に調整（変更）可能とすることができる。
【００３６】
このリンパドレナージュモードのときも、筋肉トレーニングモードと同様に、各出力部１〜１０からの出力は、互いに時間をずらして順次行われる。例えば、第１出力部１、第２出力部２、第３出力部３、第４出力部４・・・・・という順に出力される。図３、図４では、この出力の順序をも示しており、数値の小さい順から大きい順に順次出力され、もっとも大きい数値の出力部から出力された後は、もっとも小さい数値の出力部へ戻ることになる。なお、このようなサイクルを繰り返し行っている途中において、全ての出力部１〜１０から同時に出力させたり、あるいは全ての出力部１〜１０からの出力を一時的に停止することもでき、これにより、刺激に対する麻痺をなくすあるいは低減して、刺激付与の効果を高めることができる。
【００３７】
各出力部１〜１０からの出力を時間をずらして行う場合に、好ましいずらし方が図７の波線で示される。すなわち、今回出力されている今回出力部（例えば第１出力部１）での出力が行われている間に、次に出力が行われる出力部（例えば第２出力部２）からの出力が開始される。より具体的には、今回出力部での出力状態が前述した持続出力状態の間に、次の出力部からの出力が開始されるようになっている。そして、今回出力部からの出力が中止（出力零）となる時点（漸減出力状態の終期）においては、次回の出力部での出力状態が持続出力状態となるようにされている。このような設定によって、特に、出力されているある一対の導子から次に出力される別の導子へ向けて連続的に刺激が移動するような感覚が強く得られることになる。以上に加えて、複数の出力部１〜１０のうち今回出力が行われている今回出力部での出力状態が前記持続出力状態から前記漸減出力状態に移行する付近の過渡期に、次に出力される次回出力部からの出力が前記持続出力状態の開始時期となるようにされている。
【００３８】
なお、今回出力されている出力部からの出力が完全に中止（出力零）になった後に、次の出力部からの出力を開始したのでは、さすりの感覚がが途中でとぎれるような感じとなってしまうものである。特にリンパドレナージュモードのときに、さすりの感覚を得るようにするのが好ましいものとなる。また、各出力部１〜１０からの出力の状態として持続出力状態のみとすることも考えられるが（漸増出力状態および漸減出力状態共になしとした場合）、この場合は、刺激が連続的に徐々に移動するような感覚が得にくいものとなる。
【００３９】
以上実施形態について説明したが、本発明はこれに限らず例えば次のような場合をも含むものである。一対の導子の組数（出力部の数）としては、複数組以上であればよいが、筋肉トレーニングとリンパドレナージュとをほぼ全身に渡って効率よく行うために、少なくとも８組以上とするのが好ましいものである。
【００４０】
複数の出力部からの出力順序は、同じ順序で繰り返す場合に限らず、例えば、初回に出力する例えば第１出力部１から出力を開始して、最後に出力する例えば第１０出力部１０の後は、出力順序を逆にして、第１０出力部１０、第９出力部９，第８出力部８・・・・というようにしてもよい。このように、複数の出力部の出力順序を変更しないで同じ出力順序を繰り返す繰り返しモードと、上述のようにさすり方向が反転するような反転モードとをマニュアル操作によって選択するスイッチを別途設けるようにすることもできる。
【００４１】
全ての出力部からの順次出力が１回終了するまでの１サイクルあたりの時間を変更可能としてもよく、この場合、上記１サイクルあたりの時間を変更指令するためのマニュアル操作されるスイッチを別途設ければよい。この場合、特に持続出力状態の時間の長短が変更されることとなり、これによって、さすりの早さを変更すること、つまりさすりを早く行う感覚や遅く行う感覚を任意に得ることができる。
【００４２】
低周波電気信号としては、高周波の搬送波を重合させないものであってもよい。勿論、本発明の目的は、明記されたものに限らず、実質的に好ましいあるいは利点として表現されたものを提供することをも暗黙的に含むものである。
【図面の簡単な説明】
【図１】本発明装置の一例を示す要部外観図。
【図２】筋肉トレーニングモードでの導子（出力部）の使用者に対する位置設定例を示す簡略説明図。
【図３】リンパドレナージュモードでの導子（出力部）の使用者に対する位置設定例を示す簡略説明図。
【図４】リンパドレナージュモードでの導子（出力部）の使用者に対する位置設定例を示す簡略説明図。
【図５】本発明に用いる回路をブロック図的に示す図。
【図６】筋肉トレーニングモードでの電気信号の波形例を示す図。
【図７】図６に示す波形の要部拡大図。
【符号の説明】
Ｈ：多チャンネル式電気刺激装置の本体
１〜１０：出力部
１０Ａ、１０Ｂ：導子
２１〜３０：操作部（出力の独立調整用）
３５：操作部（出力の共通調整用）
３７：操作部（モード選択用）
７１：第１波形生成回路（筋肉トレーニングモード用）
７２：第２波形生成回路（リンパドレナージュモード用）
７５：第１係数設定回路（筋肉トレーニングモード用）
７６：第２係数設定回路（リンパドレナージュ用）
【図１】
2005058270.tif 000003
【図２】
2005058270.tif 000004
【図３】
2005058270.tif 000005
【図４】
2005058270.tif 000006
【図５】
2005058270.tif 000007
【図６】
2005058270.tif 000008
【図７】
2005058270.tif 000009